(57)【要約】  水圧ポンプ組立体に使用するためのポンプバレル（７０）が、複数のピストンボア（８４）を画定するバレル本体（８８）であって、複数のピストンボア（８４）が、ボア内で可動である複数のピストンを受容する、バレル本体（８８）と、複数のポート（７２）を画定するポート形成面（７４）であって、複数のポート（７２）が、ピストンボアと流体連通して、バレル本体を出入りする流体流れ経路を提供する、ポート形成面（７４）と、を含む。各ポート（７２）は、ポンプバレルの回転方向に対して、前縁面および後縁面を有し、前述の前縁面および後縁面は、ポート形成面（７４）に対して直角でない角度で第１の方向に（線６−６に沿って）配向される。各ポート（７２）は、ポンプバレルの半径方向に対して、内側縁面（８０）および外側縁面（８２）を有し、前述の内側および外側の縁面（８０、８２）は、第１の方向における角度とは異なるポート形成面（７４）に対する傾斜角度（９０、９２）を含む第２の方向に（線９−９に沿って）配向される。そのようなポンプバレル（７０）を組み込んだ水圧ポンプ組立体も開示される。【選択図】図８
2017538885.tif 000002
【特許請求の範囲】
【請求項１】
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、を備え、
前記ポートの縁面が、前記ポート形成面に対して直角でない角度に配向される、ポンプバレル。
【請求項２】
各ポートが、前記ポンプバレルの回転方向に対して、前縁面および後縁面を有する、請求項１に記載のポンプバレル。
【請求項３】
前記前縁面が、前記ポート形成面に対して９０°未満の角度に配向され、前記後縁面が、前記ポート形成面に対して９０°を超える角度に配向される、請求項２に記載のポンプバレル。
【請求項４】
前記バレル本体が円筒形である、請求項１〜３のいずれか一項に記載のポンプバレル。
【請求項５】
前記複数のポートがキドニーポートである、請求項１〜４のいずれか一項に記載のポンプバレル。
【請求項６】
前記ピストンボアが円筒形である、請求項１〜５のいずれか一項に記載のポンプバレル。
【請求項７】
前記ポンプバレルによって画定されるポートの数が、ボアの数に対応する、請求項１〜６のいずれか一項に記載のポンプバレル。
【請求項８】
入力駆動軸と相互作用するように構成されたスプラインを含む中央ボアをさらに備える、請求項１〜７のいずれか一項に記載のポンプバレル。
【請求項９】
前記複数のピストンボアが、前記中央ボアの周囲に等距離に離間される、請求項８に記載のポンプバレル。
【請求項１０】
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して、前記ポンプバレルを出入りする流体流れ経路を提供する、複数のポートを有し、前記ポートの縁面が、前記ピストンの運動軸に沿って延びる法線に対して傾斜する、水圧ポンプ組立体。
【請求項１１】
各ポートが、前記ピストン回転群の回転方向に対して、前縁面および後縁面を有する、請求項１０に記載の水圧ポンプ組立体。
【請求項１２】
前記ポンプバレルが、前記複数のポートを画定するポート形成面を有し、
各ポートの前記前縁面が、前記ポート形成面に対して９０°未満の角度に配向され、
各ポートの前記後縁面が、前記ポート形成面に対して９０°を超えるに配向される、
請求項１１に記載の水圧ポンプ組立体。
【請求項１３】
前記ポンプバレルによって画定されるポートの数が、ピストンの数に対応する、請求項１０〜１２のいずれか一項に記載の水圧ポンプ組立体。
【請求項１４】
前記ポンプバレルの前記複数のポートが、キドニーポートである、請求項１０〜１３のいずれか一項に記載の水圧ポンプ組立体。
【請求項１５】
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、請求項１０〜１４のいずれか一項に記載の水圧ポンプ組立体。
【請求項１６】
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、備え、
前記ポートの縁面が、前記ポート形成面に対して直角でない角度で第１の方向に配向され、かつ、前記第１の方向とは異なる傾斜角度を含む第２の方向に配向される、ポンプバレル。
【請求項１７】
前記傾斜角度が、前記ポート形成面および前記第１の方向の前記直角でない角度の平面の両方に対して垂直な平面において前記ポートを傾斜させる、請求項１６に記載のポンプバレル。
【請求項１８】
各ポートが、前縁面および後縁面、ならびに内側縁面および外側縁面を有する、請求項１７に記載のポンプバレル。
【請求項１９】
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、
請求項１８に記載のポンプバレル。
【請求項２０】
前記バレル本体が円筒形である、請求項１６〜１９のいずれか一項に記載のポンプバレル。
【請求項２１】
前記複数のポートがキドニーポートである、請求項１６〜２０のいずれか一項に記載のポンプバレル。
【請求項２２】
前記ピストンボアが円筒形である、請求項１６〜２１のいずれか一項に記載のポンプバレル。
【請求項２３】
前記ポンプバレルによって画定されるポートの数が、ボアの数に対応する、請求項１６〜２２のいずれか一項に記載のポンプバレル。
【請求項２４】
入力駆動軸と相互作用するように構成されたスプラインを含む中央ボアをさらに備える、請求項１６〜２３のいずれか一項に記載のポンプバレル。
【請求項２５】
前記複数のピストンボアが、前記中央ボアの周囲に等距離に離間される、請求項２４に記載のポンプバレル。
【請求項２６】
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して前記ポンプバレルを出入りする流体流れ経路を提供する、複数のポートを有し、
前記ポートの縁面が、前記ピストンの運動軸に沿って延びる法線に対して第１の方向に傾斜し、かつ、前記第１の方向とは異なる傾斜角度を含む第２の方向に配向される、水圧ポンプ組立体。
【請求項２７】
前記ポンプバレルが、前記複数のポートを画定するポート形成面を有し、前記傾斜角度が、前記ポート形成面および前記第１の方向の前記傾斜の平面の両方に対して垂直な平面において前記ポートを傾斜させる、請求項２６に記載の水圧ポンプ組立体。
【請求項２８】
各ポートが、前縁面および後縁面、ならびに内側縁面および外側縁面を有する、請求項２７に記載の水圧ポンプ組立体。
【請求項２９】
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、
請求項２８に記載の水圧ポンプ組立体。
【請求項３０】
前記ポンプバレルによって画定されるポートの数が、ピストンの数に対応する、請求項２６〜２９のいずれか一項に記載の水圧ポンプ組立体。
【請求項３１】
前記ポンプバレルの前記複数のポートが、キドニーポートである、請求項２６〜３０のいずれか一項に記載の水圧ポンプ組立体。
【請求項３２】
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、請求項２６〜３１のいずれか一項に記載の水圧ポンプ組立体。
【発明の詳細な説明】
【技術分野】
【０００１】
関連出願データ
本出願は、２０１４年１２月２３日に出願された米国特許仮出願第６２／０９５，８６２号、および２０１５年４月２３日に出願された米国特許仮出願第６２／１５１，４９１号の優先権を主張するものであり、その内容は参照により本明細書に組み込まれる。
【０００２】
本発明は一般に、水圧ポンプ水圧ポンプ（ｈｙｄｒｏｓｔａｔｉｃ  ｐｕｍｐ）に関し、より詳細には、そのような水圧ポンプで使用するためのピストンバレル構成に関する。
【背景技術】
【０００３】
水圧ポンプは、原動機によって伝達される機械エネルギーを、液圧流体の圧送を通じて液圧エネルギーに変換する。よく見られるタイプの水圧ポンプまたは液圧ポンプは、回転するポンプバレル内に収容された往復運動する複数のピストンを含む、アキシャルピストン型ポンプであり、ピストンは、液圧ポートを介してシステム構成要素またはアクチュエータと流体連通する。可動の斜板に対して液圧ポンプバレルが回転することにより、ポンプピストンの軸方向運動がもたらされ、その軸方向運動が、液圧流体を、液圧ポートを通して他のシステム構成要素へと付勢する。
【０００４】
上述のように、ピストンのポンプ作用は、斜板との相互作用によって軸方向に往復運動して回転円筒ポンプバレルを出入りするピストンにより、実現される。大気圧下でバレルチャンバが作動流体で完全に満たされたときの最大回転速度は、「自吸速度」と呼ばれる。自吸速度は、ポンプの性能の尺度を提供する、重要なパラメータである。出力パワーは出力流れ（速度）に対して直線関係を有するので、自吸速度が速くなることは、出力パワーが大きくなることを意味する。自吸速度が速くなることにより、キャビテーションを伴わないより高速度での運転、または、より高い高度において望まれるような、所与の速度に対してより低い入口圧力での運転を可能にする。
【０００５】
したがって、出力パワーを向上させるためには、可能な限り速い自吸速度を得ることが望ましい。出力パワーを向上させるための１つの選択肢は、単にポンプバレルの回転速度を上げることにより、流量を増大させることである。しかし、ポンプ速度を速くすることだけにより出力流れを増大させることは、ポンプの充填能力によって制限され、そのような充填能力は、入口圧力の低下に起因して、ポンプ速度とともに低下する。
【０００６】
出力流れを増大させるために、他の代替形態が用いられてきた。所与の自吸速度に対して、出力パワーを向上させるためにより大型のポンプが用いられ得るが、空間的な問題により、大型のポンプの使用が妨げられる場合がある。複式ポンプ構成もまた、より大きな出力パワーを生成するために用いられてきた。典型的な構成では、第２のインペラ式ポンプが、ピストンバレル式の水圧ポンプとの組合せで用いられ得る。第２のインペラポンプの使用は、バレルの入口における流体圧力を高めることによりバレルの回転速度を速めることを可能にし、また別の面では、吸込状態を改善してキャビテーションの問題が起きるのを防ぐことができる（これは、特に高高度において有用である）。しかし、複式ポンプ構成は、構成要素の数が増加し、それによりポンプシステムに関連するサイズ、コスト、および保守の問題が増大するという欠点を有する。したがって、水圧ポンプまたは液圧ポンプの出力パワーを向上させるための従来の機構は不完全であることが証明された。
【発明の概要】
【課題を解決するための手段】
【０００７】
本発明の水圧ポンプまたは液圧ポンプは、ポンプサイズを大きくすることなく、また、複式ポンプ構成を伴うことなく、強化された出力パワーを提供する。出力パワーの向上は、ポンプを通る流れを強化しかつ従来の構成と比較して向上された回転速度を可能にする、ポンプバレル内の傾斜したキドニーポート表面を用いることにより達成される。傾斜したキドニーポート表面は、キドニーポートの後縁とキドニーポートの前縁との間の圧力差を活用する。傾斜面は、キドニーポートの後縁におけるより高い圧力を利用して、慣性力の下で流体をより容易にピストンチャンバに押し込む。その結果、ポンプを通る作動流体の流れが強化され、したがって自給速度が高まり、それにより、従来の構成と比較してポンプの出力パワーが向上される。
【０００８】
本発明の一態様は、水圧ポンプ組立体に使用するためのポンプバレルである。例示的な実施形態では、ポンプバレルは、複数のピストンボアを画定するバレル本体であって、複数のピストンボアが、ボア内で可動である複数のピストンを受容するように構成される、バレル本体と、複数のポートを画定するポート形成面（ｐｏｒｔｉｎｇ  ｆａｃｅ）であって、複数のポートが、ピストンボアと流体連通して、バレル本体を出入りする流体流れ経路を提供する、ポート形成面と、を含み得る。ポートの縁面は、ポート形成面に対して直角でない角度で第１の方向に配向される。より具体的には、各ポートは、ポンプバレルの回転方向に対して、前縁面および後縁面を有する。前縁面は、ポート形成面に対して９０°未満の角度に配向されてもよく、後縁面は、ポート形成面に対して９０°を超える角度に配向されてもよい。
【０００９】
ポンプバレルの例示的な実施形態では、ポートの縁面は、第１の方向とは異なる傾斜角度を含む第２の方向にさらに配向され得る。傾斜角度は、ポート形成面および第１の方向の直角でない角度の平面の両方に対して垂直な平面においてポートを傾斜させる。
【００１０】
ピストンバレルは、水圧ポンプ組立体に組み込まれ得る。例示的な実施形態では、水圧ポンプ組立体は、ピストン回転群を含み、ピストン回転群は、複数のボアを画定するポンプバレルと、ポンプバレルの複数のボアに受容される複数の可動のピストンとを含む。水圧ポンプ組立体は、ピストン回転群を回転させるための入力軸と、変位可能な斜板とをさらに含み、ピストン回転群が回転すると、ピストンは、斜板との相互作用によって伸長および後退して、流体に水圧ポンプ組立体を出入りさせる。ポンプバレルは、ボアと流体連通してバレルを出入りする流体流れ経路を提供する、複数のポートを有し、ポートの縁面は、ピストンの運動軸に沿って延びる法線に対して第１の方向に傾斜する。
【００１１】
水圧ポンプ組立体の例示的な実施形態では、ポートの縁面は、第１の方向とは異なる傾斜角度を含む第２の方向にさらに配向され得る。傾斜角度は、ポート形成面および第１の方向の傾斜の平面の両方に対して垂直な平面においてポートを傾斜させる。
【００１２】
本発明の上記その他の特徴は、以下の説明および添付の図面を参照することで明らかになるであろう。説明および図面では、本発明の原理が用いられ得る方法のうちのいくつかを示すものとして、本発明の特定の実施形態が詳細に開示されているが、本発明はそれに応じて範囲を限定されるものではないことが、理解される。むしろ、本発明は、本明細書に添付された特許請求の範囲の精神および条件に含まれるあらゆる変更、修正形態、および均等物を含む。１つの実施形態に関連して説明および／または図示される特徴は、１つまたは複数の他の実施形態において同じ方法または類似した方法で使用されてもよく、かつ／または、他の実施形態の特徴と組み合わせてまたはその代わりに使用されてもよい。
【図面の簡単な説明】
【００１３】
【図１】本発明の実施形態による例示的な水圧ポンプ組立体の垂直断面図を示す図である。
【図２】ピストンチャンバおよびピストンのうちの１つを含む、図１のポンプ組立体の一部分の垂直断面図を示す図である。
【図３】本発明の実施形態による水圧ポンプのための例示的なポンプバレルの第１の斜視図を示す図である。
【図４】キドニーポート側上の反対の視点からの、図３の例示的なポンプバレルの第２の斜視図を示す図である。
【図５】図３および図４の例示的なポンプバレルのキドニーポート側の図を示す図である。
【図６】図５の線６−６に沿った、例示的なポンプバレルの断面図を示す図である。
【図７】図６の線７−７の範囲内の、例示的なポンプバレルの拡大図を示す図である。
【図８】本発明の実施形態による第２の例示的なポンプバレルのキドニーポート側の図を示す図である。
【図９】図８の線９−９に沿った、第２の例示的なポンプバレルの断面図を示す図である。
【図１０】図９の線１０−１０の範囲内の、例示的な第２のポンプバレルの拡大図を示す図である。
【発明を実施するための形態】
【００１４】
次に、同様の要素を参照するために同様の参照番号が全体にわたって使用されている各図面を参照しながら、本発明の実施形態を説明する。各図は必ずしも原寸に比例していないことが、理解されるであろう。
【００１５】
以下でさらに説明されるように、本発明の一態様は、水圧ポンプ組立体である。例示的な実施形態では、水圧ポンプ組立体は、ピストン回転群は、複数のボアを画定するポンプバレルと、ポンプバレルの複数のボアに受容される複数の可動のピストンとを含む。水圧ポンプ組立体は、ピストン回転群を回転させるための入力軸と、変位可能な斜板とをさらに含み、ピストン回転群が回転すると、ピストンは、斜板との相互作用によって伸長および後退して、水圧ポンプ組立体に対して流体を出入りさせる。ポンプバレルは、ボアと流体連通してポンプバレルを出入りする流体流れ経路を提供する、複数のポートを有し、ポートの縁面は、ピストンの運動軸に沿って延びる法線に対して傾斜する。
【００１６】
図１は、本発明の実施形態による例示的な水圧ポンプ組立体または液圧ポンプ組立体１０の断面図を示す図である。ポンプ組立体１０は、入力軸１４を支持するハウジング１２を含み、入力軸１４は、軸シール１６および保持リング１８で封止される。ピストン回転群２０が、ピストンチャンバ２４内に収容された複数の可動のピストン２２を含み、ピストンチャンバ２４は、ポンプバレル２６によって画定される複数の対応するボアとして構成される。ポンプ組立体１０は、流体マニホルド２８に固定され、流体マニホルド２８は、ポンプ組立体に作動流体を入れるための入力通路３２、およびポンプ組立体１０から作動流体を出すための出力通路３４を含む。例示的な実施形態では、作動流体は、当技術分野で知られているような液圧流体である。入力軸１４は、ピストン回転群２０が、マニホルドに取り付けられた弁板３８のポンプ運転面４２に接触して回転するように、ピストン回転群２０を駆動する。ポンプバレル２６は、入力軸１４の端部上の協働するスプラインと相互作用するスプライン３７を含んでもよい。
【００１７】
動作にあたっては、オペレータが、当技術分野で知られているトラニオンアームを通じて動作する入力レバー（図示せず）を介して制御し、トラニオンアームは、変位可能な斜板４０を変位させる。例えば、斜板は、±１４°の角度範囲内で変位してもよい。ピストン回転群が入力軸の駆動力を受けて回転するにつれて、ピストン２２は、液圧流体をマニホルド２８から下流のシステム構成要素へ圧送するために、斜板との相互作用によって伸長および後退して、ポンプバレルに対して液圧流体を出入りさせる。ピストンが後退すると、流体が、負圧下において、入力通路３２からポンプバレル２６によって画定されたポート４２のうちの１つを通ってピストンチャンバ内へ引き込まれる。ポート４２は、典型的には腎臓（キドニー）の形状であってもよく、したがって、一般にキドニーポートと呼ばれる。ピストンが伸びると、流体は、ポンプバレル２６のキドニーポート４２のうちの別の１つを通してピストンチャンバから押し出され、次いで出力通路３４を押し通される。
【００１８】
図２は、ピストン２２を有するピストンチャンバ２４のうちの１つを含む、図１のポンプ組立体の一部分の垂直断面図を示す図である。ピストンチャンバ２４は、ピストン２２が可動に収容されるシリンダとして構成される。ピストンチャンバ２４は、ポンプバレル２６によって画定されたボア内に含まれる。ピストン２２は、球形のピストンヘッド４４と、ピストンチャンバ２４内で軸方向に可動である円筒形ロッド４６とを含む。ピストン２２の後退および伸長が、流体チャンバ４８に作動流体を出入りさせる。流体チャンバ４８は、ポンプバレル２６によって画定されたキドニーポート４２のうちの１つと流体連通し、ポンプバレル２６は、上述のように、流体マニホルド２８のポンプ運転面３６に接触して回転する。
【００１９】
以下でさらに詳述するように、キドニーポート４２は、前縁面５０および後縁面５２を有するように、ポンプバレル２６によって画定される。前縁面５０および後縁面５２は、ピストン２２を受容するボアの壁面５８に対して、または、ピストン２２の運動軸に沿って延びる法線に対して、傾斜している。この構成は、前縁面および後縁面が傾斜せずに直線状である従来のポンプバレルとは対照的である。
【００２０】
以下でさらに詳述されるように、例示的な実施形態では、ポンプバレルは、複数のピストンボアを画定するバレル本体であって、複数のピストンボアが、ボア内で可動である複数のピストンを受容するように構成される、バレル本体と、複数のポートを画定するポート形成面であって、複数のポートが、ピストンボアと流体連通して、バレル本体を出入りする流体流れ経路を提供する、ポート形成面と、を含み得る。ポートの縁面は、ポート形成面に対して直角でない角度に配向される。より具体的には、各ポートは、ポンプバレルの回転方向に対して、前縁面および後縁面を有する。前縁面は、ポート形成面に対して９０°未満の角度に配向されてもよく、後縁面は、ポート形成面に対して９０°を超える角度に配向されてもよい。
【００２１】
図３は、本発明の実施形態による水圧ポンプ組立体１０のための例示的なポンプバレル２６の第１の斜視図を示す図である。ポンプバレル２６は、全体的に円筒形のバレル本体５１を有し、かつ、複数のピストンボア５３を画定し、複数のピストンボア５３は、上述のように、ピストンを有する対応する数のピストンチャンバを受容する。ピストンボア５３はまた、対応する円筒形状のピストンを受容するために円筒形であってもよい。図３の描写は、入力軸を受容する端部の視点からのものである。図３は、スプライン３７を示し、このスプライン３７は、ピストンバレル２６の中央ボア５５にわたって延在し、また、ポンプバレルを駆動するための入力軸と相互作用する。各ピストンボア５３は、中央ボア５５の周囲に等距離に離間されてもよい。
【００２２】
図４は、キドニーポート側の反対の視点からの、図３の例示的なポンプバレル２６の第２の斜視図を示す図である。図５は、例示的なポンプバレル２６のキドニーポート側の直視図（ｓｔｒａｉｇｈｔ−ｏｎ  ｖｉｅｗ）を示す図である。図６は、図５の線６−６に沿った、例示的なポンプバレル２６の断面図を示す図であり、図７は、図６の線７−７の範囲内の、例示的なポンプバレル２６の部分の拡大図を示す図である。したがって、図４〜図７では、同様の構成要素は、共通の参照番号で識別される。
【００２３】
それらの図で明らかなように、ポンプバレル２６は、複数のポンプキドニーポート４２を画定するポート形成面５４を含み、複数のポンプキドニーポート４２は、ボア５３、およびピストンを受容するピストンチャンバと流体連通する。キドニーポート４２の数は、ポンプバレル２６に組み込まれるピストンの数に対応する。入力軸の駆動を受けてピストンバレル２６が回転すると、ポート形成面５４は、上述のマニホルド２８の弁板３８に接触して回転する。図４および図５の矢印５６は、ポンプバレル２６の例示的な回転方向を示す。上記で大まかに言及されたように、各キドニーポートは、そのような回転方向に対して、前縁面５０および後縁面５２を有する。前縁面５０および後縁面５２は、それぞれのボア５３の壁面５８に対して（具体的には図６参照）、または、ピストン２２の運動軸に沿って延びる法線に対して、傾斜している。
【００２４】
図７の拡大図で最も良く分かるように、矢印５６が、この場合もやはり、ポンプバレル２６の回転方向を示す。回転方向は、この場合もやはり、キドニーポート４２の前縁面５０および後縁面５２を画定する働きをする。図７で明らかなように、キドニーポート４２の両縁面は、ポート形成面５４に対して直角でない角度に配向される。具体的には、前縁面５０は、ポート形成面５４に対して前縁角度６０に配向され、この前縁角度６０は、９０°未満である。キドニーポート４２の反対側端部において、後縁面５２は、ポート形成面５４に対して後縁角度６２に配向され、この後縁角度６２は、９０°を超える。これは従来の構成とは対照的であり、従来の構成では、ポート形成面に対する前縁角度および後縁角度がどちらも９０°であるように、前縁面および後縁面は直線状であり傾斜していない。
【００２５】
本発明のキドニーポート面の傾斜した性質は、従来の構成と比較して出力流れを強化し、したがって、より大きい出力パワーをもたらす。したがって、本発明の大出力パワーは、ピストン回転群のサイズを変更することなく、また、複式ポンプ構成を伴うことなく、獲得される。
【００２６】
具体的には、傾斜したバレルキドニーポート面は、ポンプバレルにわたってより良好な流れ状態を提供する。バレルが回転するとキドニーポートの後縁面と前縁面との間に圧力差が生じることが知られている。言い換えれば、前縁面におけるより低い圧力に対して、後縁面における圧力が上昇する。従来の直線状のバレルキドニーポート面の構成では、ピストンの後退中に体積が増大する流体チャンバが、作動流体をピストン流体チャンバに入れる唯一の駆動要素である。速度を高めるにつれて、流体の慣性および粘性が、出力速度を高めることに対する制限要因になる。対照的に、本発明では、後縁面および前縁面の傾斜した角度は、後縁でのより高い圧力を活用する働きをする。後縁の傾斜は、直線状のバレルキドニーポートと比較して、より容易にかつより速い速度で流体をピストンチャンバに押し込むのを促進するために、圧力差を利用する。したがって、傾斜したキドニーポート面からもたらされる流体流れは、ピストンの運動によって付勢されるだけではなく、流体の慣性、およびピストンチャンバ内の流体をキドニーポートの傾斜した後縁面に沿って押す遠心力によっても付勢される。
【００２７】
本発明は、ピストンの運動に加えて流体の慣性力を利用することにより、従来の構成と比較して高められた自給速度を提供する。その結果、ポンプからの流体の出力流れが強化され、それにより、出力パワーが向上される。
【００２８】
図５〜図７に示された例示的なポンプバレルでは、キドニーポートは、１つの方向にのみ傾斜している。別の例示的な実施形態では、ポンプバレルキドニーポートは、流体の出力流れをさらに強化するために、２つの方向に傾斜し得る。具体的には、図８は、本発明の実施形態による第２の例示的なポンプバレル７０のキドニーポート側の図を示す図である。図９は、図８の線９−９に沿った、第２の例示的なポンプバレル７０の断面図を示す図である。図１０は、図９の線１０−１０の範囲内の、例示的な第２のポンプバレル７０の拡大図を示す図である。
【００２９】
図８のポンプバレル７０は、基本的に、図３および図４に示されるような第１の実施形態のポンプバレル２６と同程度の一般化された特徴を有する。図８で分かるように、ポンプバレル７０は、複数のポンプキドニーポート７２を画定するポート形成面７４を同様に含み、ポンプキドニーポート７２は、第１の実施形態と同様に、ボア、およびピストンを受容するピストンチャンバと流体連通する。キドニーポート７２の数は、ポンプバレル７０に組み込まれるピストンの数に対応する。入力軸の駆動を受けてポンプバレル７０が回転すると、ポート形成面７４は、上述のように、マニホルド２８の弁板３８に接触して回転する（図１および図２参照）。
【００３０】
図９〜図１０の断面図では、ポンプバレルの例示的な回転方向は、基本的に、ポンプバレル７０の図示された部分の描写に対して「ページの外」である。具体的には、そのような回転方向に対して、各キドニーポート７２は、内側縁面８０および外側縁面８２を有し、「内側」および「外側」という用語は、ポンプバレルの中心に対する位置を表す。各キドニーポート７２は（図５および図６と同様に）、バレル本体８８によって画定される壁面８６を有するそれぞれのボア８４と流体連通する。ポンプバレル７０は、スプライン８３をさらに含み、このスプライン８３は、ピストンバレル７０の中央ボア８５にわたって延在し、また、ポンプバレルを駆動するための入力軸と相互作用する。各キドニーポート７２およびそれぞれのピストンボア８４は、前述の実施形態と同様に、中央ボア８５の周囲に等距離に離間されてもよい。
【００３１】
この図８〜図１０の実施形態におけるキドニーポートはまた、前述の実施形態と同様に、第１の方向に傾斜している。この第１の傾斜方向は、図８では線６−６に沿って示されるが、これは基本的に、第１の実施形態に対して説明された図５の線６−６に沿った傾斜と同じである。第１の方向に傾斜した性質は、図６および図７に関してすでに上述されており、この実施形態でも同等である。
【００３２】
さらに、図８〜図１０のポンプバレル７０の実施形態では、キドニーポート７２は、第１の方向とは異なる第２の方向に傾斜している。図９および図１０は、キドニーポートが第１の方向に加えて第２の方向に傾斜する方法を示す。上述のように、図９〜図１０の断面図では、ポンプバレルの例示的な回転方向は、基本的に、ポンプバレル７０の図示された部分の描写に対して「ページの外」である。図９および図１０に示された第２の傾斜配向において、内側縁面８０および外側縁面８２は、それぞれのボア８４の壁面８６に対して、または、ピストンの運動軸に沿って延びる法線に対して、傾斜している。キドニーポート７２の内側および外側の両縁面は、ポート形成面７４に対して直角でない角度に配向される。具体的には、内側縁面８０は、ポート形成面７４に対して内側縁傾斜角度９０に配向され、この内側縁傾斜角度９０は、９０°未満である。キドニーポート７２の反対側端部において、外側縁面８２は、ポート形成面７４に対して外側縁傾斜角度９２に配向され、この外側縁傾斜角度９２は、９０°を超える。
【００３３】
第１および第２の両方向におけるキドニーポート面の傾斜した性質は、従来の構成と比較して出力流れをさらに強化し、したがって、より大きな出力パワーをもたらす。第１の実施形態におけるように、第１および第２の方向に傾斜したキドニーポートを有する第２の実施形態は、ピストン回転群のサイズを変更することなく、また、複式ポンプ構成を伴うことなく、より大きな出力パワーを獲得する。
【００３４】
本発明の一態様は、水圧ポンプ組立体に使用するためのポンプバレルである。例示的な実施形態では、ポンプバレルは、複数のピストンボアを画定するバレル本体であって、複数のピストンボアが、ボア内で可動である複数のピストンを受容するように構成される、バレル本体と、複数のポートを画定するポート形成面であって、複数のポートが、ピストンボアと流体連通して、バレル本体を出入りする流体流れ経路を提供する、ポート形成面と、を含む。ポートの縁面は、ポート形成面に対して直角でない角度に配向される。
【００３５】
ポンプバレルの例示的な一実施形態では、各ポートは、ポンプバレルの回転方向に対して、前縁面および後縁面を有する。
ポンプバレルの例示的な一実施形態では、前縁面は、ポート形成面に対して９０°未満の角度に配向され、後縁面は、ポート形成面に対して９０°を超える角度に配向される。
【００３６】
ポンプバレルの例示的な一実施形態では、バレル本体は円筒形である。
ポンプバレルの例示的な一実施形態では、複数のポートはキドニーポートである。
ポンプバレルの例示的な一実施形態では、ピストンボアは円筒形である。
【００３７】
ポンプバレルの例示的な一実施形態では、ポンプバレルによって画定されるポートの数は、ボアの数に対応する。
ポンプバレルの例示的な一実施形態では、ポンプバレルは、入力駆動軸と相互作用するように構成されたスプラインを具備する中央ボアをさらに含む。
【００３８】
ポンプバレルの例示的な一実施形態では、複数のピストンボアは、中央ボアの周囲に等距離に離間される。
ポンプバレルの例示的な一実施形態では、ポートの縁面は、ポート形成面に対して直角でない角度で第１の方向に配向され、かつ、第１の方向とは異なる傾斜角度を含む第２の方向に配向される。
【００３９】
ポンプバレルの例示的な一実施形態では、傾斜角度は、ポート形成面および第１の方向の直角でない角度の平面の両方に対して垂直な平面においてポートを傾斜させる。
ポンプバレルの例示的な一実施形態では、各ポートは、前縁面および後縁面、ならびに内側縁面および外側縁面を有する。
【００４０】
ポンプバレルの例示的な一実施形態では、前縁面は、ポート形成面に対して９０°未満の前縁角度に配向され、後縁面は、ポート形成面に対して９０°を超える後縁角度に配向され、内側縁面は、ポート形成面に対して９０°未満の内側縁傾斜角度に配向され、外側縁面は、ポート形成面に対して９０°を超える外側縁傾斜角度に配向される。
【００４１】
本発明の別の態様は、水圧ポンプ組立体である。例示的な実施形態では、水圧ポンプ組立体は、複数のボアを画定するポンプバレル、およびポンプバレルの複数のボアに受容される複数の可動のピストンを具備する、ピストン回転群と、ピストン回転群を回転させるための入力軸と、変位可能な斜板とを含む。ピストン回転群が回転すると、ピストンは、斜板との相互作用によって伸長および後退して、流体に水圧ポンプ組立体を出入りさせる。ポンプバレルは、ボアと流体連通して、ポンプバレルを出入りする流体流れ経路を提供する、複数のポートを有し、ポートの縁面は、ピストンの運動軸に沿って延びる法線に対して傾斜している。
【００４２】
水圧ポンプ組立体の例示的な一実施形態では、各ポートは、前縁面および後縁面、ならびに内側縁面および外側縁面を有する。
水圧ポンプ組立体の例示的な一実施形態では、前縁面は、ポート形成面に対して９０°未満の前縁角度に配向され、後縁面は、ポート形成面に対して９０°を超える後縁角度に配向され、内側縁面は、ポート形成面に対して９０°未満の内側縁傾斜角度に配向され、外側縁面は、ポート形成面に対して９０°を超える外側縁傾斜角度に配向される。
【００４３】
水圧ポンプ組立体の例示的な一実施形態では、ポンプバレルによって画定されるポートの数は、ピストンの数に対応する。
水圧ポンプ組立体の例示的な一実施形態では、ポンプバレルの複数のポートは、キドニーポートである。
【００４４】
水圧ポンプ組立体の例示的な一実施形態では、水圧ポンプ組立体は、流体をピストン回転群に送るための入力通路と流体をピストン回転群から出すための出力通路とを具備する流体マニホルドをさらに含み、ピストン回転群は、マニホルドのポンプ運転面に接触して回転する。
【００４５】
水圧ポンプ組立体の例示的な一実施形態では、ポートの縁面は、ピストンの運動軸に沿って延びる法線に対して第１の方向に傾斜し、かつ、第１の方向とは異なる傾斜角度を含む第２の方向に配向される。
【００４６】
水圧ポンプ組立体の例示的な一実施形態では、ポンプバレルは、複数のポートを画定するポート形成面を有し、傾斜角度は、ポート形成面および第１の方向の傾斜の平面の両方に対して垂直な平面においてポートを傾斜させる。
【００４７】
本発明は、特定の実施形態に関して図示されかつ説明されたが、本明細書および添付の図面を読みかつ理解すれば当業者には同等の変形形態および修正形態が思い浮かぶであろうことは、明らかである。具体的には、上記の要素（構成要素、組立体、デバイス、組成物、等）によって実行される様々な機能に関して、そのような要素を説明するために使用される用語（「手段」への言及も含む）は、別段の指示がない限り、たとえ本明細書において例示された本発明の例示的な実施形態における機能を実行する開示された構造と構造的に等価でなくとも、説明された要素の測定の機能を実行する（すなわち、機能的に等価な）いかなる要素にも対応することが意図されている。さらに、例示された幾つかの実施形態のうちの１つだけまたは複数に関して、本発明の特定の特徴が上述されたであろうが、そのような特徴は、所望される通りに、また、いかなるまたは特定の用途にとって有利であるように、他の実施形態の１つまたは複数の特徴と組み合わされてもよい。
【００４８】
そのような代替実施形態の一例は、ピストンの軸がバレルの回転軸とある角度を形成するようにピストンがバレルの回転軸に対して傾けられる、水圧ポンプバレルピストン構成であり得る。この構成は、ピストンの軸がバレルの軸と平行である上記の実施形態とは異なる。代替実施形態の別の例は、バレルポート形成面が、係合する弁板とともに球形の接触面を作り出す、バレル構成であり得る。そのような構成では、バレルの面は、凹面形の輪郭を有し、一方で弁板の面は、凸面形の輪郭を有する。そのような構成もまた、両方の係合面が平面であると説明された上記の実施形態とは異なる。
【図１】
2017538885.tif 000003
【図２】
2017538885.tif 000004
【図３】
2017538885.tif 000005
【図４】
2017538885.tif 000006
【図５】
2017538885.tif 000007
【図６】
2017538885.tif 000008
【図７】
2017538885.tif 000009
【図８】
2017538885.tif 000010
【図９】
2017538885.tif 000011
【図１０】
2017538885.tif 000012
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、を備え、
前記ポートの縁面が、前記ポート形成面に対して直角でない角度に配向され、
各ポートが、前記ポンプバレルの回転方向に対して、前縁面および後縁面を有し、前記前縁面が、前記ポート形成面に対して９０°未満の角度に配向され、前記後縁面が、前記ポート形成面に対して９０°を超える角度に配向される、ポンプバレル。
【請求項２】
前記バレル本体が円筒形である、請求項１に記載のポンプバレル。
【請求項３】
前記複数のポートがキドニーポートである、請求項１又は２に記載のポンプバレル。
【請求項４】
前記ピストンボアが円筒形である、請求項１から３のいずれか一項に記載のポンプバレル。
【請求項５】
前記ポンプバレルによって画定されるポートの数が、ボアの数に対応する、請求項１から４のいずれか一項に記載のポンプバレル。
【請求項６】
入力駆動軸と相互作用するように構成されたスプラインを含む中央ボアをさらに備える、請求項１から５のいずれか一項に記載のポンプバレル。
【請求項７】
前記複数のピストンボアが、前記中央ボアの周囲に等距離に離間される、請求項６に記載のポンプバレル。
【請求項８】
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して、前記ポンプバレルを出入りする流体流れ経路を提供する、複数のポートを有し、前記ポートの縁面が、前記ピストンの運動軸に沿って延びる法線に対して傾斜し、
さらに、各ポートが、前記ピストン回転群の回転方向に対して、前縁面および後縁面を有し、
前記ポンプバレルが、前記複数のポートを画定するポート形成面を有し、
各ポートの前記前縁面が、前記ポート形成面に対して９０°未満の角度に配向され、
各ポートの前記後縁面が、前記ポート形成面に対して９０°を超える角度に配向される、水圧ポンプ組立体。
【請求項９】
前記ポンプバレルによって画定されるポートの数が、ピストンの数に対応する、請求項８に記載の水圧ポンプ組立体。
【請求項１０】
前記ポンプバレルの前記複数のポートが、キドニーポートである、請求項８又は９に記載の水圧ポンプ組立体。
【請求項１１】
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、請求項８から１０のいずれか一項に記載の水圧ポンプ組立体。
【請求項１２】
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、備え、
前記ポートの縁面が、前記ポート形成面に対して直角でない角度で第１の方向に配向され、かつ、前記第１の方向とは異なる傾斜角度を含む第２の方向に配向され、
さらに、前記傾斜角度が、前記ポート形成面および前記第１の方向の前記直角でない角度の平面の両方に対して垂直な平面において前記ポートを傾斜させ、
各ポートが、前縁面および後縁面、ならびに内側縁面および外側縁面を有し、
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、ポンプバレル。
【請求項１３】
前記バレル本体が円筒形である、請求項１２に記載のポンプバレル。
【請求項１４】
前記複数のポートがキドニーポートである、請求項１２又は１３に記載のポンプバレル。
【請求項１５】
前記ピストンボアが円筒形である、請求項１２から１４のいずれか一項に記載のポンプバレル。
【請求項１６】
前記ポンプバレルによって画定されるポートの数が、ボアの数に対応する、請求項１２から１５のいずれか一項に記載のポンプバレル。
【請求項１７】
入力駆動軸と相互作用するように構成されたスプラインを含む中央ボアをさらに備える、請求項１２から１６のいずれか一項に記載のポンプバレル。
【請求項１８】
前記複数のピストンボアが、前記中央ボアの周囲に等距離に離間される、請求項１７に記載のポンプバレル。
【請求項１９】
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して前記ポンプバレルを出入りする流体流れ経路を提供する、複数のポートを有し、
前記ポートの縁面が、前記ピストンの運動軸に沿って延びる法線に対して第１の方向に傾斜し、かつ、前記第１の方向とは異なる傾斜角度を含む第２の方向に配向され、
さらに、前記ポンプバレルが、前記複数のポートを画定するポート形成面を有し、前記傾斜角度が、前記ポート形成面および前記第１の方向の前記傾斜の平面の両方に対して垂直な平面において前記ポートを傾斜させ、
各ポートが、前縁面および後縁面、ならびに内側縁面および外側縁面を有し、
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、水圧ポンプ組立体。
【請求項２０】
前記ポンプバレルによって画定されるポートの数が、ピストンの数に対応する、請求項１９のいずれか一項に記載の水圧ポンプ組立体。
【請求項２１】
前記ポンプバレルの前記複数のポートが、キドニーポートである、請求項１９又は２０に記載の水圧ポンプ組立体。
【請求項２２】
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、請求項１９から２１のいずれか一項に記載の水圧ポンプ組立体。
【手続補正２】
【補正対象書類名】明細書
【補正対象項目名】００４８
【補正方法】変更
【補正の内容】
【００４８】
そのような代替実施形態の一例は、ピストンの軸がバレルの回転軸とある角度を形成するようにピストンがバレルの回転軸に対して傾けられる、水圧ポンプバレルピストン構成であり得る。この構成は、ピストンの軸がバレルの軸と平行である上記の実施形態とは異なる。代替実施形態の別の例は、バレルポート形成面が、係合する弁板とともに球形の接触面を作り出す、バレル構成であり得る。そのような構成では、バレルの面は、凹面形の輪郭を有し、一方で弁板の面は、凸面形の輪郭を有する。そのような構成もまた、両方の係合面が平面であると説明された上記の実施形態とは異なる。
以下に本明細書が開示する形態のいくつかを記載しておく。
［形態１］
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、を備え、
前記ポートの縁面が、前記ポート形成面に対して直角でない角度に配向される、ポンプバレル。
［形態２］
各ポートが、前記ポンプバレルの回転方向に対して、前縁面および後縁面を有する、形態１に記載のポンプバレル。
［形態３］
前記前縁面が、前記ポート形成面に対して９０°未満の角度に配向され、前記後縁面が、前記ポート形成面に対して９０°を超える角度に配向される、形態２に記載のポンプバレル。
［形態４］
前記バレル本体が円筒形である、形態１〜３のいずれか一項に記載のポンプバレル。
［形態５］
前記複数のポートがキドニーポートである、形態１〜４のいずれか一項に記載のポンプバレル。
［形態６］
前記ピストンボアが円筒形である、形態１〜５のいずれか一項に記載のポンプバレル。
［形態７］
前記ポンプバレルによって画定されるポートの数が、ボアの数に対応する、形態１〜６のいずれか一項に記載のポンプバレル。
［形態８］
入力駆動軸と相互作用するように構成されたスプラインを含む中央ボアをさらに備える、形態１〜７のいずれか一項に記載のポンプバレル。
［形態９］
前記複数のピストンボアが、前記中央ボアの周囲に等距離に離間される、形態８に記載のポンプバレル。
［形態１０］
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して、前記ポンプバレルを出入りする流体流れ経路を提供する、複数のポートを有し、前記ポートの縁面が、前記ピストンの運動軸に沿って延びる法線に対して傾斜する、水圧ポンプ組立体。
［形態１１］
各ポートが、前記ピストン回転群の回転方向に対して、前縁面および後縁面を有する、形態１０に記載の水圧ポンプ組立体。
［形態１２］
前記ポンプバレルが、前記複数のポートを画定するポート形成面を有し、
各ポートの前記前縁面が、前記ポート形成面に対して９０°未満の角度に配向され、
各ポートの前記後縁面が、前記ポート形成面に対して９０°を超えるに配向される、
形態１１に記載の水圧ポンプ組立体。
［形態１３］
前記ポンプバレルによって画定されるポートの数が、ピストンの数に対応する、形態１０〜１２のいずれか一項に記載の水圧ポンプ組立体。
［形態１４］
前記ポンプバレルの前記複数のポートが、キドニーポートである、形態１０〜１３のいずれか一項に記載の水圧ポンプ組立体。
［形態１５］
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、形態１０〜１４のいずれか一項に記載の水圧ポンプ組立体。
［形態１６］
水圧ポンプ組立体に使用するためのポンプバレルであって、
複数のピストンボアを画定するバレル本体であって、前記複数のピストンボアが、前記ボア内で可動である複数のピストンを受容するように構成される、バレル本体と、
複数のポートを画定するポート形成面であって、前記複数のポートが、前記ピストンボアと流体連通して、前記バレル本体を出入りする流体流れ経路を提供する、ポート形成面と、備え、
前記ポートの縁面が、前記ポート形成面に対して直角でない角度で第１の方向に配向され、かつ、前記第１の方向とは異なる傾斜角度を含む第２の方向に配向される、ポンプバレル。
［形態１７］
前記傾斜角度が、前記ポート形成面および前記第１の方向の前記直角でない角度の平面の両方に対して垂直な平面において前記ポートを傾斜させる、形態１６に記載のポンプバレル。
［形態１８］
各ポートが、前縁面および後縁面、ならびに内側縁面および外側縁面を有する、形態１７に記載のポンプバレル。
［形態１９］
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、
形態１８に記載のポンプバレル。
［形態２０］
前記バレル本体が円筒形である、形態１６〜１９のいずれか一項に記載のポンプバレル。
［形態２１］
前記複数のポートがキドニーポートである、形態１６〜２０のいずれか一項に記載のポンプバレル。
［形態２２］
前記ピストンボアが円筒形である、形態１６〜２１のいずれか一項に記載のポンプバレル。
［形態２３］
前記ポンプバレルによって画定されるポートの数が、ボアの数に対応する、形態１６〜２２のいずれか一項に記載のポンプバレル。
［形態２４］
入力駆動軸と相互作用するように構成されたスプラインを含む中央ボアをさらに備える、形態１６〜２３のいずれか一項に記載のポンプバレル。
［形態２５］
前記複数のピストンボアが、前記中央ボアの周囲に等距離に離間される、形態２４に記載のポンプバレル。
［形態２６］
水圧ポンプ組立体であって、
複数のボアを画定するポンプバレル、および前記ポンプバレルの前記複数のボアに受容される複数の可動のピストンを含む、ピストン回転群と、
前記ピストン回転群を回転させるための入力軸と、
変位可能な斜板であって、前記ピストン回転群が回転すると、前記ピストンが、前記斜板との相互作用によって伸長および後退して、流体に前記水圧ポンプ組立体を出入りさせる、斜板と、
を備え、
前記ポンプバレルが、前記ボアと流体連通して前記ポンプバレルを出入りする流体流れ経路を提供する、複数のポートを有し、
前記ポートの縁面が、前記ピストンの運動軸に沿って延びる法線に対して第１の方向に傾斜し、かつ、前記第１の方向とは異なる傾斜角度を含む第２の方向に配向される、水圧ポンプ組立体。
［形態２７］
前記ポンプバレルが、前記複数のポートを画定するポート形成面を有し、前記傾斜角度が、前記ポート形成面および前記第１の方向の前記傾斜の平面の両方に対して垂直な平面において前記ポートを傾斜させる、形態２６に記載の水圧ポンプ組立体。
［形態２８］
各ポートが、前縁面および後縁面、ならびに内側縁面および外側縁面を有する、形態２７に記載の水圧ポンプ組立体。
［形態２９］
前記前縁面が、前記ポート形成面に対して９０°未満の前縁角度に配向され、前記後縁面が、前記ポート形成面に対して９０°を超える後縁角度に配向され、
前記内側縁面が、前記ポート形成面に対して９０°未満の内側縁傾斜角度に配向され、前記外側縁面が、前記ポート形成面に対して９０°を超える外側縁傾斜角度に配向される、
形態２８に記載の水圧ポンプ組立体。
［形態３０］
前記ポンプバレルによって画定されるポートの数が、ピストンの数に対応する、形態２６〜２９のいずれか一項に記載の水圧ポンプ組立体。
［形態３１］
前記ポンプバレルの前記複数のポートが、キドニーポートである、形態２６〜３０のいずれか一項に記載の水圧ポンプ組立体。
［形態３２］
前記流体を前記ピストン回転群に送るための入力通路と前記流体を前記ピストン回転群から出すための出力通路とを具備する流体マニホルドをさらに備え、前記ピストン回転群が、前記マニホルドのポンプ運転面に接触して回転する、形態２６〜３１のいずれか一項に記載の水圧ポンプ組立体。
【国際調査報告】
2017538885.tif 000013
2017538885.tif 000014